(57)【要約】【課題】  根太の本数を削減でき、断熱材を覆うシート状保持部材の止め付けも可能な床パネルを提供する。【解決手段】  床板２の下面に複数本の平行な根太３と断熱材４，５とが配置された床パネル１である。根太３は床板２の根太並び方向の端から離れた位置に配置される。断熱材４，５を根太３と共に下面から覆って保持するシート状保持材６は、床板２の小口面に止め付けられる。根太３の間に位置する断熱材４は繊維系断熱材とされ、根太３よりも床板２の端側に位置する断熱材５は発泡樹脂系断熱材とされる。【選択図】      図１
2016104935.tif 000002
【特許請求の範囲】
【請求項１】
床板の下面に複数本の平行な根太と断熱材とが配置された床パネルにおいて、
前記根太が、前記床板の根太並び方向の端から離れた位置に配置され、前記断熱材を前記根太と共に前記断熱材の下面から覆って保持するシート状保持材が、前記床板の小口面に止め付けられていることを特徴とする床パネル。
【請求項２】
請求項１に記載の床パネルにおいて、前記複数本の根太の間に位置する前記断熱材が繊維系断熱材である床パネル。
【請求項３】
請求項２に記載の床パネルにおいて、前記根太よりも前記床板の端側に位置する前記断熱材が発泡樹脂系断熱材である床パネル。
【請求項４】
請求項３に記載の床パネルにおいて、前記発泡樹脂系断熱材の厚さが、前記根太の上下高さよりも薄い床パネル。
【発明の詳細な説明】
【技術分野】
【０００１】
この発明は、住宅等の建物における一階床等に適用され、床板の下面に根太と断熱材とが配置された床パネルに関する。
【背景技術】
【０００２】
住宅等の建物における一階床では、床板の下面に断熱材が設けられる。この種の床パネルとして、図１０に示す例が提案されている（例えば特許文献１）。この床パネル２１は、床板２２の下面に複数本の平行な根太２３を配置すると共に、これらの根太２３，２３間に断熱材２４を配置している。これらの断熱材２４は、コスト面で優れていることなどから、繊維系の断熱材が使用される。そのため、断熱材２４が落下するのを防止するために、根太２３と共に断熱材２４を下面側から不織布などからなるシート２６で覆って保持している。前記シート２６は、床板２２の両側端に配置した根太２３の側面にステープル２７等で止め付けられる。
【先行技術文献】
【特許文献】
【０００３】
【特許文献１】特開２０１０−２８１１６８号公報
【発明の概要】
【発明が解決しようとする課題】
【０００４】
上記構成の床パネル２１では、床板２２の両側端に配置した根太２３に前記シート２６を止め付けているので、シート２６の止め付けのために必ず床板２２の両側端に根太２３を配置する必要がある。そのため、隣合う床パネル２１，２１の間では隣接部で２本の根太２３，２３が並んで位置し、強度的には部材が過剰になり、不経済になるという課題がある。
【０００５】
この発明の目的は、床板の端に位置する根太を不要として根太の本数の削減を図りながら、断熱材を保持するシート状保持部材の止め付けも可能な床パネルを提供することである。
【課題を解決するための手段】
【０００６】
この発明の床パネルは、床板の下面に複数本の平行な根太と断熱材とが配置された床パネルにおいて、
前記根太が、前記床板の根太並び方向の端から離れた位置に配置され、前記断熱材を前記根太と共に前記断熱材の下面から覆って保持するシート状保持材が、前記床板の小口面に止め付けられていることを特徴とする。
【０００７】
この構成によると、断熱材を根太と共に前記断熱材の下面から覆って保持するシート状保持材が、床板の小口面に止め付けられるため、根太が、床板の根太並び方向の端から離れた位置でありながら、前記シート状保持部材の止め付けが支障なく行える。また、根太が床板の根太並び方向の端から離れた位置であるため、隣合う床パネルの境界で根太が重複することが回避され、床としての必要な強度を確保しながら、根太の本数を削減でき、部材の削減によるコスト低下が図れる。断熱材の支持には従来と同じくシート状保持材を用いるため、断熱材の材質に係わらずに適用できる。
【０００８】
この発明において、前記複数本の根太の間に位置する前記断熱材が繊維系断熱材であっても良い。繊維系断熱材は低コストであり、床パネルに用いる断熱材として優れる。繊維系断熱材は、床パネルに用いる場合、その保持の構造が問題となるが、従来と同じくシート状保持部材で覆って保持することで、その確実な保持が行える。
【０００９】
この発明において、前記根太よりも前記床板の端側に位置する前記断熱材が発泡樹脂系断熱材であっても良い。
この床パネルでは床板の端に根太が存在しないため、繊維系断熱材を根太よりも端側に用いると、シート状保持部材で覆っただけでは形状が不安定になる。しかし、発泡樹脂系断熱材を用いると、端に根太が存在しなくても形状が保持される。
【００１０】
根太よりも床板の端側に位置する断熱材を発泡樹脂系断熱材とした場合に、前記発泡樹脂系断熱材の厚さを、前記根太の上下高さよりも薄くしても良い。
前記床パネルが、根太並び方向の端が布基礎上に位置するように配置される場合、床パネル全体の厚さが同じであると、床パネルの布基礎上への支持の形態によっては、床パネルの裏面が布基礎の天端面に接触して隙間が生じない場合があり、前記布基礎上の外壁に通気路が形成されていても、外壁内の通気空間から床下への換気が行えない。しかし、上記のように床板の端の発泡樹脂系断熱材の厚さが根太よりも薄くなっていると、この発泡樹脂系断熱材と布基礎の天端面との間に通気可能な隙間が生じ、この隙間を介して、外壁内の通気空間が床下の空間に繋がり、床下の換気機能が得られる。また、発泡樹脂系断熱材は、繊維系断熱材に比べてコストは高いが断熱性に優れるため、前記のように通気路確保のために薄くしても、必要な断熱性が確保できる。
【発明の効果】
【００１１】
この発明の床パネルは、床板の下面に複数本の平行な根太と断熱材とが配置された床パネルにおいて、前記根太が、前記床板の根太並び方向の端から離れた位置に配置され、前記断熱材を前記根太と共に前記断熱材の下面から覆って保持するシート状保持材が、前記床板の小口面に止め付けられているため、床板の端に位置する根太を不要として根太の本数の削減を図りながら、断熱材を保持するシート状保持部材の止め付けも可能となる。
【図面の簡単な説明】
【００１２】
【図１】この発明の一実施形態に係る床パネルをその根太の延びる方向と直交する方向に断面して示す断面図である。
【図２】同床パネルをその根太の延びる方向に断面して示す中間省略断面図である。
【図３】同床パネルの床梁への取付け部を拡大して示す断面図である。
【図４】（Ａ）は同床パネルのシート状保持材を取付ける前の状態をパネル下面側から見た斜視図、（Ｂ）はシート状保持材を取付けた後の状態を示す斜視図である。
【図５】同床パネルを床梁に取付けた状態を示す斜視図である。
【図６】同床パネルを設置した建物の一部を示す断面図である。
【図７】この発明の他の実施形態に係る床パネルをその根太の延びる方向と直交する方向に断面して示す断面図である。
【図８】同床パネルのシート状保持材を取り外した状態を示す下面図である。
【図９】同床パネルを設置した建物の一部を示す断面図である。
【図１０】従来例の断面図である。
【発明を実施するための形態】
【００１３】
この発明の実施形態を図面に基づいて説明する。図１に断面図で示すように、この実施形態の床パネル１は、床板２の下面に複数本（ここでは２本）の平行な木製の根太３と断熱材４，５とが配置されている。根太３は、床板２の根太並び方向の端から離れた位置に配置される。根太３はビス等の固着具（図示せず）で床板２と接合して一体化される。断熱材４，５は、根太３と共に前記断熱材４，５の下面からシート状保持材６で覆って保持され、そのシート状保持材６は、床板２の小口面に例えばステープル７で止め付けられる。ステープル７に代えて、例えば両面テープにより、シート状保持材６を床板２の小口面に止め付けても良い。シート状保持材６は、通気性のある材質が好ましく、例えば不織布からなるが、布であっても良い。前記床板２は、木質材、例えばパーティクルボードからなる。
【００１４】
前記断熱材４，５のうち、複数本の根太３の間に位置する断熱材４には繊維系断熱材、例えばグラスウールまたはロックウール等が用いられる。また、断熱材４以外の断熱材５、すなわち根太３よりも床板２の端側に位置する断熱材５には発泡樹脂系断熱材、例えば発泡ポリスチレン、発泡ウレタンまたは発泡スチロール等が用いられる。
【００１５】
この床パネル１の複数枚を床梁１０（図３，図５）上に設置した後で、これらの床パネル１上には複数枚の床パネル１に跨がって化粧面材１１が張り渡される。図５に示すように、化粧面材１１は、例えば石膏ボード１１ａ、パーティクルボード１１ｂ、カラーフロア１１ｃの三層構造とされる。
【００１６】
床梁１０は例えばＨ形鋼からなる。図２のように、根太３の長手方向の端部には、中間部よりも下面が低くなる段差面部３ａが設けられており、この段差面部３ａを図３のように床梁１０に載せた設置状態で、根太３の中間部では下面が床梁１０の天端よりも下側に沈んだ状態となる。
【００１７】
図２のように、前記段差面部２ａを有する根太３の端部およびこれに対応する床板２の端部には、根太３を床梁１０に止め付けるための金具挿通孔８が上下に貫通して設けられる。この金具挿通孔８に、図３のようにねじ形式の根太固定金具９を挿入し、その下端の係合片９ａを床梁１０のフランジ部１０ａの下面に係合させることで、床パネル１が床梁１０に止め付けられる。
【００１８】
図４（Ａ）には前記床パネル１のシート状保持材６を止め付ける前の状態をパネル下面側から見た斜視図を示し、図４（Ｂ）にはシート状保持材６を止め付けた状態を示す。シート状保持材６の前記根太３の並び方向に沿う両端には、根太３の前記段差面部３ａと重なる箇所に切欠部６ａが設けられ、段差面部３ａが前記根太固定金具８で床梁１０に止め付けられるときに、シート状保持材６が妨げにならないようにされている。
【００１９】
図６は、布基礎１２の長手方向に沿ってこれと平行に配置された床梁１０の上に、図１に示した床パネル１を複数枚並べて止め付けた設置例を示している。このような構成の床パネル１では、根太３が、床板２の根太並び方向の端から離れた位置に配置され、断熱材４，５を根太３と共に前記断熱材４，５の下面から覆って保持するシート状保持材６が、床板２の小口面に止め付けられるため、隣合う床パネル１，１の境界で根太３が重複することがなく根太３の本数を削減できると共に、断熱材４，５を覆うシート状保持部材６の止め付けも支障なく行うことができる。
【００２０】
図７は、この発明の床パネルの他の実施形態の断面図を示す。この床パネル１では、先の実施形態において、床板２の両端側に位置する発泡樹脂系断熱材５のうち、一端側に位置する発泡樹脂系断熱材５の厚さを根太３の上下高さよりも薄くしている。図８は、この床パネル１のシート状保持材６が止め付けられない状態を裏面側から見た平面図を示している。同図において、厚さを薄くした発泡樹脂系断熱材５の部分はハッチングを施して示している。この床パネル１は、建物の外壁の角部の内側に配置される場合を想定したものであり、前記一端側はその角部の一側辺に沿っている。この場合、床パネル１の根太３の並び方向に沿う他の一端側も外壁の角部の他の一側辺に沿うので、その一端側となる繊維系断熱材４の端部も厚さを薄くしている。図８には、その部分もハッチングを施して示している。
【００２１】
図９は、この床パネル１を、建物の外壁の角部の内側に配置した状態を断面図で示す。布基礎１２の立ち上がり部１２ａ上に、その長手方向に沿って外壁パネル１３が設置され、その布基礎１２のベース部１２ｂにおける屋内側の上面に床梁１０が、支持台１０ａを介して載置されている。前記外壁パネル１３は、方形のフレーム１５と、その外側に配置される外装面材１６とを備え、フレーム１５内には断熱材１７が充填されている。外装面材１６と断熱材１７との間には通気空間１９が形成されている。通気空間１９は、外壁パネル１３の下端から上端に続き、下端は換気見切り１９ａを介して下面に開放されている。フレーム１５は、屋外側に位置する溝形鋼１５ａと屋内側に位置する木製フレーム材１５ｂとを有し、溝形鋼１５ａからなるフレーム部の下辺は布基礎１２の立ち上がり部１２ａの上面から若干浮き上がらせてある。木製フレーム材１５ｂの下辺は布基礎１２の立ち上がり部１２ａの上面に直接載せられているが、その下面には木製フレーム材１５ｂの長手方向にくし歯状に並ぶ複数の切欠溝１５ｂａが形成されている。この切欠溝１５ｂａにより、布基礎１２の立ち上がり部１２ａの天端面と外壁パネル１３の木製フレーム材１５ｂとの間に通気路が形成されている。
【００２２】
前記床梁１０上に、図７に示した床パネル１が、厚みを根太３よりも薄くした発泡樹脂系の断熱材５の側縁を前記木製フレーム材１５ｂに沿わせて設置される。これにより、外壁パネル１３の下辺と布基礎１２の立ち上がり部１２ａの天端面との間に形成された前記通気路と、厚みの薄い発泡樹脂系断熱材５の下面に確保される空間とが連通し、外壁パネル１３内の前記通気空間１９から、床パネル１の下方の床下空間に連通する通気路が確保されている。また、発泡樹脂系断熱材は、繊維系断熱材に比べてコストは高いが断熱性に優れるため、前記のように端の断熱材５を通気路確保のために薄くしても、必要な断熱性が確保できる。床パネル１の上面に化粧面材１１が張られた後、前記外壁パネル１３の内側には内壁１８が設置される。
【００２３】
図示は省略するが、図８に示す床パネル１の根太直交側の辺での繊維系断熱材４や発泡樹脂系断熱材５の厚みの薄い部分の下面に確保される空間も、外壁パネル１３のフレーム１５の下辺側に確保される通気路と連通して、床パネル１の下側空間の通気を可能としてある。
【符号の説明】
【００２４】
１…床パネル
２…床板
３…根太
４…繊維系断熱材
５…発泡樹脂系断熱材
６…シート状保持材
１０…床梁
【図１】
2016104935.tif 000003
【図２】
2016104935.tif 000004
【図３】
2016104935.tif 000005
【図４】
2016104935.tif 000006
【図５】
2016104935.tif 000007
【図６】
2016104935.tif 000008
【図７】
2016104935.tif 000009
【図８】
2016104935.tif 000010
【図９】
2016104935.tif 000011
【図１０】
2016104935.tif 000012